(57)【要約】【課題】本発明の目的は、複数の液晶表示パネルを配列した大型の液晶表示装置において、パネル間の継目に生じる非表示領域の幅を狭めることである。【解決手段】  第１の液晶表示パネル１２１と第２の液晶表示パネル１２２を配列するように構成された液晶表示装置１０であり、各液晶表示パネルは、画像を表示する表示領域（１８１,１８２）と、この表示領域の外側に配置された画像を表示しない額縁領域（２０１,２０２）とを有している。そして、第１の液晶表示パネル１２１と第二の液晶表示パネル１２２が隣接する額縁領域が液晶表示パネル全体の厚みの２分の１以下になるように薄型化されており、薄型化された額縁領域がオーバーラップするように配置されている。【選択図】図１
2016180919.tif 000002
【特許請求の範囲】
【請求項１】
カラーフィルタ基板と、
前記カラーフィルタ基板との間に液晶層を挟持するように配置されたアレイ基板と、
を備えた液晶表示パネルを複数配列してなる液晶表示装置であって、
前記液晶表示パネルのそれぞれは、画像を表示する表示領域と、
この表示領域の外側に配置された画像を表示しない額縁領域とを有し、
前記額縁領域のうち少なくとも隣接する液晶表示パネルが存在する額縁領域が
液晶パネル基板全体の厚みの２分の１以下になるように薄型化され、
薄型化された前記額縁領域がオーバーラップするように配置されることを特徴とする液晶表示装置。
【請求項２】
前記液晶表示パネルにおいて他の液晶表示パネルと隣接する２辺の頂点が対角線上に配置された液晶表示パネルと接触しないように切り欠きされることを特徴とする請求項１に記載の液晶表示装置。
【請求項３】
前記複数の液晶表示パネルの主表面上に偏光板が貼り付けられることを特徴とする請求項１または２に記載の液晶表示装置。
【請求項４】
前記偏光板上にさらに保護部材が配置されていることを特徴とする請求項３に記載の液晶表示装置。
【発明の詳細な説明】
【技術分野】
【０００１】
本発明は、液晶表示パネルを用いた液晶表示装置に関し、特に複数の液晶表示パネルを配列して大型の液晶表示装置を構成する際に、液晶表示パネル間に存在する非表示領域の面積をできる限り減少させることが可能な液晶表示装置である。
【背景技術】
【０００２】
液晶ディスプレイ等の画像を表示するための液晶表示装置は、従来から幅広い分野や機器において利用されている。最近では、屋外やスポーツスタジアム等に大型スクリーンや電光掲示板が設置されている。このような大型の表示装置は、１枚の液晶表示パネルから製造することが難しく、通常は複数の液晶表示パネルを隣接するように配列することで１つの液晶表示装置として構成される。
【０００３】
しかしながら、複数の液晶表示パネルで１つの画像を表示した場合に問題点も発生する。液晶ディスプレイには、画像を表示するための表示領域の外側に画像を表示しない額縁領域が存在する。額縁領域にはバックライトからの光が漏れないようにブラックマトリクス層が形成されている。通常の液晶ディスプレイでは、この部分に表示装置の額縁が配置されるため、ブラックマトリクス層が使用者に視認されることはない。しかしながら、複数の液晶表示パネルが隣接して配置されるような大型ディスプレイの場合、隣接する液晶表示パネルの継目の額縁領域が表示画像上に存在することになり、観察者に黒い線状の非表示部と認識されることになり、画像の表示品質や連続性が低下する。
【０００４】
そこで、従来技術のなかには、複数の液晶表示パネルが配列された表示装置の表示面側に、額縁領域に対応する位置に凸状のレンズが形成された光学シートを配置する技術があった（例えば、特許文献１。）。この技術を用いれば、凸状のレンズによる光の屈折を利用し、表示領域の画像を額縁領域に対応する領域まで拡大して表示することが可能になり、観察者は額縁領域の黒い線状部を視認しにくくなるとされている。
【先行技術文献】
【特許文献】
【０００５】
【特許文献１】特開２０１３−１９５４５８号公報
【発明の概要】
【発明が解決しようとする課題】
【０００６】
しかしながら、従来技術は単に液晶表示パネルを並列させて配列しているだけで額縁領域の幅を減少させているわけではなく、根本的な解決方法にはならない。このように額縁領域の幅が広いままでは、厚みのある光学シートを配置するか液晶表示パネルと光学シートの間にスペースを設けなければならず、結果として装置の大型化につながってしまう。このため、額縁領域を細くする技術が求められているが、額縁領域は液晶ディスプレイにとって必須の構成であるため、これ以上の細線化は難しい。
【０００７】
本発明の目的は、液晶表示パネル間に存在する非表示領域の幅が狭くなるように構成され、画面品質が向上した表示装置を提供することである。
【課題を解決するための手段】
【０００８】
本発明に係る液晶表示装置は、カラーフィルタ基板とアレイ基板との間に液晶層を挟持した液晶表示パネルを複数配列するように構成される。各液晶表示パネルは、画像を表示する表示領域と、この表示領域の外側に配置された画像を表示しない額縁領域とを有している。そして、少なくとも隣接する液晶表示パネルが存在する額縁領域が液晶表示パネル全体の厚みの２分の１以下になるように薄型化されており、薄型化された額縁領域がオーバーラップするように配置されている。
【０００９】
この構成において、薄型化されたことによって額縁領域に生じたスペースに隣接する液晶表示パネルの額縁領域を配列させると、薄型化された額縁領域同士をオーバーラップさせることが可能になる。オーバーラップさせることにより、観察者から視認される黒い線状の非表示領域の幅が減少し、表示品質の高い液晶表示装置を提供することができる。
【００１０】
また、他の液晶表示パネルと隣接する２辺の頂点が対角線上に配置された液晶表示パネルと接触しないように切り欠きされることが好ましい。液晶表示パネルをマトリクス状に配列させた際に、対角線上に配置された液晶表示パネルの頂点同士が重なり合ってしまう。このため、対角線上の頂点と接触しないように切り欠きをすることで液晶表示パネル同士の重なり合いが解消されるため、効率的な配列が可能になる。
【００１１】
また、複数の液晶表示パネルの主表面上に偏光板を貼り付けることが好ましい。偏光板を貼り付けることによって、複数の液晶表示パネルをずれることなく保持することが可能になり、後工程での作業を効率的に行うことが可能になる。さらに、偏光板の貼付作業を液晶表示パネルの位置合わせとして利用することも可能になるため、生産効率が向上する。
【００１２】
さらに、偏光板の表面上に保護部材を配置することが好ましい。保護部材を配置することでより強固に液晶パネルを保持することが可能になる。保護部材としては、透明部材であれば特に限定されず、ガラス板やアクリル板を配置することが可能である。
【発明の効果】
【００１３】
この発明によれば、液晶表示パネルを複数配列させた際に、隣接するパネル間に生じる画像を表示しない非表示領域の面積を効果的に減少させることが可能となる。
【図面の簡単な説明】
【００１４】
【図１】本発明の一実施形態に係る液晶表示装置を示す図である。
【図２】本発明の一実施形態に係る液晶表示装置の概略側面図である。
【図３】額縁領域の薄型化処理の工程を示す図である。
【図４】エッチングにより薄型化された隣接面の概略側面図である。
【図５】液晶表示パネルを４枚配置した液晶表示装置を示す図である。
【図６】液晶表示パネルを３枚配置した液晶表示装置を示す図である。
【図７】液晶表示パネルに偏光板を貼り付けた液晶表示装置を示す図である。
【図８】変更板上にカバーガラスを配置した液晶表示装置の概略側面図である。
【発明を実施するための形態】
【００１５】
図１および図２を用いて、本発明の一実施形態について説明する。図１は、液晶表示パネルを２つ配列した液晶表示装置１０を示す図である。液晶表示装置１０は、第１の液晶表示パネル１２１および第２の液晶表示パネル１２２を備えている。第１の液晶表示パネル１２１と第２の液晶表示装置１２２は、それぞれのパネルの１辺がオーバーラップするように配列されている。また、第１の液晶パネル１２１および第２の液晶パネル１２２は、実質的に同一の構成であり、以下の説明においては第１の液晶表示パネル１２１についてのみ説明するが、特に記載のない限り、第２の液晶表示パネル１２２についても同様である。
【００１６】
第１の液晶表示パネル１２１は、第１の表示領域１８１と第１の額縁領域２０１を有している。第１の表示領域１８１は、画像を表示するための領域であり、第１の表示領域１８１のみで画像を表示することも可能であるが、第２の液晶表示パネルの第２の表示領域１８２とともに、１つの画像を表示することも可能である。第１の額縁領域２０１は、第１の表示領域１８１の外側に存在する画像を表示しない領域である。
【００１７】
第１の液晶表示パネル１２１は、第１のカラーフィルタ基板１４１および第１のアレイ基板１６１を備えており、第１のカラーフィルタ基板１４１と第１のアレイ基板１６１で液晶層（図示省略）を挟持するように構成されている。第１のカラーフィルタ基板１４１および第１のアレイ基板１６１は、フラットパネルディスプレイ用のガラス基板が用いられている。第１のカラーフィルタ基板１４１は、第１の表示領域１８１に対応する領域に、公知の手段でカラーフィルタ層が形成される。また、第１の額縁領域２０１に対応する領域には、第１のブラックマトリクス層２２１が形成されている。観察者が画面を見た際には、このブラックマトリクス層が額縁領域の黒い線状の非表示部として認識される。第1のアレイ基板１６１は、第１の表示領域１８１に対応する領域に薄膜トランジスタ層（図示省略）や透明電極（図示省略）が形成され、第１の額縁領域２０１に対応する領域には、駆動用電極等が形成されている。
【００１８】
ここから、図２を用いて第１の液晶表示パネル１２１と第２の表示パネル１２２の隣接面について説明する。図２は、第１の液晶表示パネル１２１と第２の液晶表示パネル１２２の隣接面の概略側面図である。本実施形態では、第１の液晶表示パネル１２１と第２の液晶表示パネル１２２の隣接面において、第１の額縁領域２０１と第２の額縁領域２０２がそれぞれの液晶表示パネルの厚みの半分以下まで薄型化されている。第１の液晶表示パネル１２１は、第１のアレイ基板１６１の額縁領域が第２の液晶表示パネル１２２の厚みの２分の１以下まで薄型化されている。そして、第２の液晶表示パネル１２２は、第２のカラーフィルタ基板１４２の額縁領域が第１の液晶表示パネル１２１の厚みの２分の１以下まで薄型化されている。このように薄型化されることによって生じた第１の額縁領域２０１の段差部に第２の液晶表示パネル１２２の第２の額縁領域２０１がオーバーラップするように配置される。
【００１９】
このように２つの液晶表示パネルがオーバーラップして配置されることにより、観察者に黒い線状部として認識される額縁領域中の第１のブラックマトリクス層２２１と第２のブラックマトリクス層２２２もオーバーラップして配置されるため、観察者に認識される額縁領域の黒い線状部の面積が半分になる。本実施形態では、液晶表示装置１０の中心部に存在する黒い非表示部の面積が減少することになるため、表示品質が大幅に向上する。
【００２０】
ここから図３および図４を用いて、額縁領域の薄型化の方法について説明する。額縁領域の薄型化を行うためには、フッ酸を用いたエッチングによって薄型化を行うことが好ましい。エッチングで処理することでスクライブ等では処理が難しい複雑な形状であっても薄型化が可能になる。
【００２１】
最初に、図３（Ａ）に示すように液晶表示パネル１２の主表面に少なくとも耐酸性を有する保護層を形成する。本実施形態では、保護層として耐酸性フィルム２４が用いられているが、紫外線硬化型の耐酸性レジストやホットメルト剤を用いることも可能である。また、保護層形成前に液晶表示パネル１２を所望の厚さまで薄型化を行った後に、保護層を形成しても構わない。さらに、本実施形態ではカラーフィルタ基板１４とアレイ基板１６の主表面に耐酸性フィルム２４を形成しているが、カラーフィルタ基板の主表面に保護層を形成せずに、アレイ基板の額縁領域の薄型化とカラーフィルタ基板の薄型化を同時に行ってもよい。
【００２２】
液晶表示パネル１２の主表面上に被膜された耐酸性フィルム２４は、図３（Ｂ）に示すレーザ装置２６によってパターニングされる。アレイ基板１６の額縁領域２０において、他の液晶表示パネルと隣接する領域に形成された耐酸性フィルム２４を除去して、エッチングすべき領域を露出させる。本実施形態では、ピコ秒またはナノ秒のパルスレーザを用いてパターニングしているが、他のレーザ装置を用いることも可能である。また、保護層のパターニングはレーザ装置に限定されず、紫外線露光装置等でパターニングを行うことも可能である。
【００２３】
エッチングすべき領域を露出させた液晶表示パネル１２は、少なくともフッ酸を含むエッチング液と接触させることで薄型化される。エッチングにより額縁領域２０が所望の厚さまで薄型化されると、液晶表示パネル１２を洗浄して耐酸性フィルム２４を除去する。また、エッチングの際に液晶表示パネルの厚みの２分の１以上薄型化すると、画像の表示位置をそろえることが可能になる。つまり、画像が映し出される第１のカラーフィルタ基板１４１と第２のアレイ基板１６２が面一になるように配置することができるため、表示品質が向上する。さらに、エッチングを用いて薄型化を行うことで、図４に示すように、アレイ基板の角部も丸みをおびた形状になるため、配列時に液晶表示パネル同士が接触したとしても、液晶表示パネルが欠けるおそれも少ない。
【００２４】
ここで、図５を用いて本発明の別の実施形態について説明する。液晶表示装置１００は、第１の液晶表示パネル１２１、第２の液晶表示パネル１２２、第３の液晶表示パネル１２３および第４の液晶表示パネル１２４を備えており、それぞれの液晶表示パネルが縦横２つずつのマトリクス状に配列されている。このように１つの液晶表示パネルにおいて、隣接する２辺が別の液晶表示パネルと隣接するように配置された液晶表示装置１００の場合、対角線上に配置された液晶表示パネルの頂点同士が接触してしまう。本実施形態では、頂点部２８において、各液晶表示パネルの頂点が接触してしまうため、液晶表示パネルの配列前に各液晶表示パネルの頂点を対角線上に配置された液晶表示パネルに接触しないように切り欠きをする必要がある。切り欠きの方法としては、公知のスクライブ装置、エッチング処理またはその組合せによって行うことができる。
【００２５】
また、今回は液晶表示パネルを２つ配列した実施形態と４つ配列した実施形態を用いて説明したが、本発明はこれに限定されない。所望の方向に所望の数の液晶表示パネルを配列することも可能である。例えば、図６に示す液晶表示装置１００のように、短手方向に３つの液晶表示パネルを配列することも可能である。
【００２６】
また、図７に示すように配列された複数の液晶表示パネルの主表面上に偏光板を貼り付けることが好ましい。図７は、偏光板３２が第１の液晶表示パネル１２１と第２の液晶表示パネル１２２の主表面上に貼り付けられた状態を示す図である。単一の偏光板を複数の液晶パネル上に貼り付けることによって個々の液晶表示パネルを保持することが可能になり、後工程での取扱いを容易にすることが可能になる。さらに、偏光板３２の貼付工程において、第１の液晶表示パネル１２１および第２の液晶表示パネル１２２の位置合わせを同時に行うことも可能になり、生産効率も向上する。また、偏光板３２は液晶表示装置１０にとって必須の構成であり、この必須構成を用いて液晶表示パネルを保持することが可能になるため、余計な部材を追加する必要がない。また、エッチング工程にて第１の液晶表示パネル１２１と第２の液晶表示パネル１２２の板厚に差が生じた場合であっても、偏光板を貼り付ける際の接着層の厚みを調整することにより観察者から認識される表示面を均一に保つことが可能になる。
【００２７】
また、偏光板３２だけで液晶表示パネルを保持することが難しい場合、さらに偏光板よりも剛性の高い保護部材を偏光板の表面上に配置することが好ましい。図８（A）は、偏光板３２の表面上にカバーガラス３４を配置した状態の概略側面図である。本実施形態では、保護部材としてカバーガラス３４を用いているが、保護部材は透明部材であれば特に限定はされず、アクリル板等を用いることができる。また、ガラス基板を用いる場合であれば、タッチパネル機能等を有するガラス基板を利用することも可能である。カバーガラス３４を配置することで、液晶表示パネルの取扱いがさらに容易になるため作業効率が向上する。また、本実施形態では、液晶表示装置１０の両主表面にカバーガラス３４が配置されているが、図８（B）に示すように一方の主表面のみにカバーガラス３４を配置することも可能である。
【００２８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２９】
１０‐液晶表示装置
１２‐液晶表示パネル
１４‐カラーフィルタ基板
１６‐アレイ基板
１８‐表示領域
２０‐額縁領域
２２‐ブラックマトリクス層
２４‐耐酸性フィルム
２６‐レーザ装置
２８‐頂点部
３２‐偏光板
３４‐カバーガラス
【図１】
2016180919.tif 000003
【図２】
2016180919.tif 000004
【図３】
2016180919.tif 000005
【図４】
2016180919.tif 000006
【図５】
2016180919.tif 000007
【図６】
2016180919.tif 000008
【図７】
2016180919.tif 000009
【図８】
2016180919.tif 000010